(57)【要約】【課題】患者の状態に基づいて患者に投与され得る可能な医薬品の組を利用者に自動的に提供し得るようにする。【解決手段】  一実施形態では、自動医薬品処方の方法を提供する。この方法は、中央サーバ・システム（１０２）において患者に関する問い合わせを受け取るステップであって、問い合わせは患者に投与されるべき医薬品の型及び用量に関わる、受け取るステップと、中央サーバ・システム（１０２）に結合されている少なくとも一つの医療情報システム（１０４、１０６及び１０８）から患者データを得るステップと、患者に投与され得る医薬品及び用量の組を決定するように患者データを処理するステップとを含んでいる。【選択図】図１
2011238219.tif 000002
【特許請求の範囲】
【請求項１】
自動医薬品処方の方法であって、
中央サーバ・システム（１０２）において患者に関する問い合わせを受け取るステップであって、該問い合わせは前記患者に投与されるべき医薬品の型及び用量に関わる、受け取るステップと、
前記中央サーバ・システム（１０２）に結合されている少なくとも一つの医療情報システム（１０４、１０６及び１０８）から患者データを得るステップと、
前記患者に投与され得る医薬品及び用量の組を決定するように前記患者データを処理するステップと
を備えた方法。
【請求項２】
前記問い合わせは患者識別データを含んでいる、請求項１に記載の方法。
【請求項３】
前記患者識別データは患者氏名及び患者識別番号の少なくとも一方を含んでいる、請求項２に記載の方法。
【請求項４】
患者データを得る前記ステップは、
前記患者に関わる患者データについて前記少なくとも一つの医療情報システム（１０４、１０６及び１０８）に問い合わせるステップと、
前記少なくとも一つの医療情報システム（１０４、１０６及び１０８）から前記患者データを受け取るステップと
を含んでいる、請求項１に記載の方法。
【請求項５】
利用者により前記少なくとも一つの医療情報システム（１０４、１０６及び１０８）において、前記患者に投与されるべき医薬品の型及び用量に関する問い合わせを受け取るステップと、
該問い合わせを前記中央サーバ・システム（１０２）へ送るステップと
をさらに含んでいる請求項１に記載の方法。
【請求項６】
前記患者データに基づいて前記患者の診断を生成するステップをさらに含んでいる請求項１に記載の方法。
【請求項７】
前記中央サーバ・システム（１０２）により決定される前記患者に勧められる医薬品の型及び用量を利用者に伝達するステップをさらに含んでいる請求項１に記載の方法。
【請求項８】
患者に投与されるべき医薬品の型及び用量に関する問い合わせを受け取るように構成されている中央サーバ・システム（１０２）と、
該中央サーバ・システム（１０２）に結合されて、前記患者に関わる患者データを提供するように構成されている少なくとも一つの医療情報システム（１０４、１０６及び１０８）と
を備えた自動医薬品処方装置（１００）であって、
前記中央サーバ・システム（１０２）は、前記少なくとも一つの医療情報システム（１０４、１０６及び１０８）から前記患者データを得て、前記患者に投与され得る医薬品及び用量の組を決定するように前記患者データを処理するように構成されている、自動医薬品処方装置（１００）。
【請求項９】
前記医療情報システム（１０４、１０６及び１０８）は、検査室情報システム（ＬＩＳ）、臨床情報システム（ＣＩＳ）、放射線情報システム（ＲＩＳ）、画像保管及び通信システム（ＰＡＣＳ）、ガス分析器、麻酔装置、尿量分析器、パルス酸素濃度計、二酸化炭素測定計、血圧モニタ、心電計（ＥＫＧ）、ＦＥＧ、患者モニタ、医薬品データベース・ユニット及び腎血流モニタの一つである、請求項８に記載の自動医薬品処方装置（１００）。
【請求項１０】
前記中央サーバ・システム（１０２）に結合されて、前記中央サーバ・システム（１０２）により決定される前記医薬品及び用量の組を前記患者に送達するように構成されている医薬品供給源ユニット（１１０）をさらに含んでいる請求項８に記載の自動医薬品処方装置（１００）。
【発明の詳細な説明】
【技術分野】
【０００１】
本発明は一般的には、統合型情報システムに関し、さらに具体的には、患者データを解析して、解析に基づいて医薬品を勧めることが可能な統合型情報システムに関する。
【背景技術】
【０００２】
現在の医薬品処方システムは、専門の医療従事者の直接的な入力を要求してしばしば時間浪費的である。患者の状態に基づいて医薬品を処方することに関心を有する医師のような利用者は、検査室からの報告、生理学的パラメータ及び患者のアレルギーについての情報を検索することを欲する。このように望まれる情報は、医療施設の様々な部門に位置する１又は複数の医療情報システムから収集される。このために、医師は、医療施設の内部に位置する医療情報システムの各々から情報を受け取る手配を手動で行なわなければならない。情報を収集する工程は時間浪費的である場合がある。続いて、受け取った情報に基づいて、医師は患者に対して処方されて投与され得る医薬品の種類及び用量を決定しなければならない。
【発明の概要】
【発明が解決しようとする課題】
【０００３】
この工程に関連する一つの制限は、工程が人間の介在を伴うため誤る危険性があることである。この危険性は、アレルギー性の医薬品が不注意で患者に投与される場合には致命的になり得る。
【０００４】
一例として、手術を受ける患者が何らかの腎機能障害を抱えていると、麻酔医にとって問題となる。麻酔装置によって送達される医薬品は腎機能に対して甚大な影響を有する。従って、不適当な医薬品及び用量は患者にとって致命的になり得る。
【０００５】
従って、患者の状態に基づいて患者に投与され得る可能な医薬品の組を利用者に自動的に提供し得るシステムが必要とされている。
【課題を解決するための手段】
【０００６】
本書では以上に述べた短所、欠点及び問題が扱われ、これらのことについては以下の明細書を精読することにより理解されよう。
【０００７】
一実施形態では、自動医薬品処方の方法を提供する。この方法は、中央サーバ・システムにおいて患者に関する問い合わせを受け取るステップであって、問い合わせは患者に投与されるべき医薬品の型及び用量に関わる、受け取るステップと、中央サーバ・システムに結合されている少なくとも一つの医療情報システムから患者データを得るステップと、患者に投与され得る医薬品及び用量の組を決定するように患者データを処理するステップとを含んでいる。
【０００８】
もう一つの実施形態では、自動医薬品処方装置を提供する。この自動医薬品処方装置は、患者に投与されるべき医薬品の型及び用量に関する問い合わせを受け取るように構成されている中央サーバ・システムと、中央サーバ・システムに結合されて、患者に関わる患者データを提供するように構成されている少なくとも一つの医療情報システムとを含んでおり、中央サーバ・システムは、少なくとも一つの医療情報システムから患者データを得て、患者に投与され得る医薬品及び用量の組を決定するように患者データを処理するように構成されている。
【０００９】
さらにもう一つの実施形態では、自動医薬品送達のためのコンピュータ実行可能な命令を有するコンピュータ読み取り可能な媒体を提供する。コンピュータ実行可能な命令は、中央サーバ・システムにおいて患者に関する問い合わせを受け取るコードであって、問い合わせは患者に投与されるべき医薬品の型及び用量に関わる、受け取るコードと、中央サーバ・システムに結合されている少なくとも一つの医療情報システムから患者データを得るコードと、患者に投与され得る医薬品及び用量の組を決定するように患者データを処理するコードとを含んでいる。
【００１０】
本書では、様々な範囲のシステム及び方法について記載する。この概要に記載されている観点及び利点に加えて、さらに他の観点及び利点が図面及び以下の詳細な説明を参照すると明らかとなろう。
【図面の簡単な説明】
【００１１】
【図１】一実施形態として記載される自動医薬品処方装置のブロック図である。
【図２】一実施形態として記載される中央サーバ・システムのブロック図である。
【図３】自動医薬品処方装置によって実行される自動医薬品処方方法を表わす流れ図である。
【図４】医療情報システムから患者データを得るステップを表わす流れ図である。
【図５】もう一つの実施形態として記載される問い合わせを受け取るステップを表わす流れ図である。
【図６】一実施形態として記載される医薬品供給源ユニットを結合するステップを表わす流れ図である。
【発明を実施するための形態】
【００１２】
以下の詳細な説明では、本書の一部を成しており実施され得る特定の実施形態を例として示す添付図面を参照する。これらの実施形態は当業者が当該実施形態を実施することを可能にするように十分に詳細に説明されており、他の実施形態を利用し得ること、並びに実施形態の範囲から逸脱することなく論理的変形、機械的変形、電気的変形及び他の変形を施し得ることを理解されたい。従って、以下の詳細な説明は、限定する意味で解釈すべきでない。
【００１３】
一実施形態では、図１に示すように、自動医薬品処方装置１００が提供される。自動医薬品処方装置１００は、病院又は診療所のような医療施設に設置されて、患者データの統合型集中管理を実行することができる。
【００１４】
自動医薬品処方装置１００は、患者に投与されるべき医薬品の型及び用量に関する問い合わせを受け取るように構成されている中央サーバ・システム１０２を含んでいる。問い合わせは、患者識別データを含む。患者識別データは、患者氏名及び患者識別番号の少なくとも一方を含む。
【００１５】
自動医薬品処方装置１００はさらに、中央サーバ・システム１０２に結合されている少なくとも一つの医療情報システム１０４、１０６及び１０８を含む。少なくとも一つの医療情報システム１０４、１０６及び１０８は、患者に関わる患者データを与えるように構成されている。さらに、中央サーバ・システム１０２は、患者に投与され得る医薬品及び用量の組を決定するように、少なくとも一つの医療情報システム１０４、１０６及び１０８から得られる患者データを処理するように構成されている。
【００１６】
一実施形態では、患者データは、本名、年齢、身長、体重、性別、人種、家族及び遺伝的医療データ、既往歴、身体的障害、既知の医学的状態、既知の医学的アレルギー、並びに症状、期間、医師所見及び他のＥＭＲ記録等の現在の疾病状態のような患者に関わる一般的な情報を含む。患者データはさらに、患者に関わる放射線情報、検査室情報、臨床情報、及び患者の術前のカルテを含む。さらに明確に述べると、患者データは、病理学報告、患者モニタによって監視される生理学的データ、尿内物質及び尿量についての情報を含めた腎作用測定値、患者による吸気又は呼気の外来ガス測定値、並びに医薬品データベースからの情報を含む。
【００１７】
中央サーバ・システム１０２のブロック図を図２に示す。従って、中央サーバ・システム１０２は、当該中央サーバ・システム１０２に結合されて病院網の内部に位置する１又は複数の医療情報システム１０４、１０６及び１０８から患者データを収集するように構成されている取得ユニット２０２を含む。さらに、１又は複数の医療情報システム１０４、１０６及び１０８は、遠隔に位置していてもよい。これら遠隔に位置する医療情報システム１０４、１０６及び１０８は、有線又は無線通信システムを介して患者データを中央サーバ・システム１０２へ送信することができる。
【００１８】
中央サーバ・システム１０２はさらに、医療情報システム１０４、１０６及び１０８から患者データを受け取り、受け取った患者データを処理する処理ユニット２０４を含み得る。
【００１９】
一旦、患者データが処理されたら、患者データは、処理ユニット２０４に結合されている解釈ユニット２０６によって患者の状態に基づいて解析され又は解釈され得る。この解析を、患者に処方の組を提供するときに用いることができる。
【００２０】
患者の状態に基づいて患者データを解釈するために、１又は複数の規則を適用することができる。規則データベースが、解釈目的で用いられるべき規則を供給する。規則データベースは解釈ユニット２０６に記憶され得る。規則データベースは、患者データ／情報をパラメータとして用いる多様な論理的規則を含み得る。これらの規則の適用の結果は、自動化された患者処方の記録が保持されるように患者履歴データベースに記憶され得る。
【００２１】
中央サーバ・システム１０２はさらに、利用者が命令を中央サーバ・システム１０２に入力し、また電子式表示ユニットを介して情報を受け取ることができるようにするユーザ・インタフェイス（図示されていない）を含む。入力ユニットは、キーパッド、キーボード、タッチ・パッド、ライト・ペン、レーザ・ペン、マイクロホン、又は利用者が患者データ、プリセットの医薬品用量及び／若しくは患者に関わる患者データの要求のような情報要求を中央サーバ・システム１０２に入力し得るような他の装置を含む。代替的には、入力は、バー・コード・リーダ、外部キーパッドを介して、又は電子ソースからでも受け取ることができる。当業者は、中央サーバ・システム１０２に命令を伝達する幾つかの利用可能な手段を認められよう。
【００２２】
電子式表示ユニットは、中央サーバ・システム１０２によって決定される患者に勧められる医薬品の型及び用量を利用者に伝達するように構成されている。電子式表示ユニットは、ビデオ・モニタ若しくはコンピュータ・モニタ、液晶表示（ＬＣＤ）ディスプレイ、陰極線管ディスプレイ、ドット・マトリクス・ディスプレイ、タッチ・スクリーン・ディスプレイ、レーザ作動型ディスプレイ、又は処方データの簡便な表示を提供する他の任意のディスプレイを含む。
【００２３】
医療情報システム１０４、１０６及び１０８は、検査室情報システム（ＬＩＳ）、臨床情報システム（ＣＩＳ）、放射線情報システム（ＲＩＳ）、画像保管及び通信システム（ＰＡＣＳ）、ガス分析器、麻酔装置、尿量解釈ユニット、パルス酸素濃度計、二酸化炭素測定計（capnometer）、血圧モニタ、ＥＫＧ、ＦＥＧ、患者モニタ、医薬品データベース・ユニット、並びに腎血流モニタの一つである。但し、当業者は、医療情報システム１０４、１０６及び１０８の記述はここに掲げた例に制限されず、医療分野において診断及び監視のために用いられるような全ての装置を含むことを認められよう。
【００２４】
一実施形態では、医療情報システム１０４、１０６及び１０８の各々が、有線構内網（ＬＡＮ）によって中央サーバ・システム１０２と通信することが可能である。これら医療情報システム１０４、１０６及び１０８の各々が、同じ又は異なる通信インタフェイスによって中央サーバ・システム１０２に結合され得る。一つの特定的な実施形態では、中央サーバ・システム１０２は、医療におけるディジタル画像及び通信（ＤＩＣＯＭ）規格を用いたＰＡＣＳのような医療情報システム１０４や、ＨＬ７規格を用いたＬＩＳ、ＲＩＳ及びＣＩＳのような他の医療情報システム１０４、１０６及び１０８と通信する。
【００２５】
一実施形態では、医療情報システム１０４は電子カルテ（electronic medical record）・データベースを含み得る。電子カルテ・データベースは、患者の術前のカルテ（医学的記録）を保持し得る。患者は、当該患者の疾病、又は医薬品、アレルギー及び環境に対する高い感受性を示す因子を含め、医薬品用量に影響する因子（年齢、体重、身長及び性別等）を調査する医療試験の組を受ける。これらのアレルギー性ガス／薬物は、患者に医薬品として与えられることがあってはならない。これらのアレルギー性成分は患者のカルテに更新されて書き込まれる。
【００２６】
もう一つの実施形態では、医療情報システム１０４は、以前の処方、アレルギー情報、医薬品相互作用情報、薬物療法情報及び過量情報に関わる情報を含む医薬品データベースを含み得る。医薬品データベースはまた、任意の所与の時点に医療施設の内部で利用可能な医薬品の一覧に関わる在庫情報、及び各々の医薬品の当該医薬品を用いて治療され得る１又は複数の疾患に対するマッピングを含み得る。
【００２７】
さらにもう一つの実施形態では、医療情報システム１０４は、適当なＡ−Ｄ変換器を介して適当な場合には前述の処理ユニット２０４に電子的に結合されるパルス酸素濃度計、二酸化炭素測定計、他の換気モニタ、非侵襲型血圧モニタ、ＥＫＧ、ＥＥＧ及び他のモニタのような１又は複数の公知の患者の生理学的状態のモニタを含み得る。これらの生理学的パラメータの各々が、患者の健康の特定の側面の状態を決定する有用なツールを医師に提供する。
【００２８】
患者健康モニタが実際の患者の生理学的データを表わす電子フィードバック信号を発生し、これらの信号は電子信号へ変換された後に処理ユニット２０４へ与えられる。処理ユニット２０４は、例えば適当なソフトウェア及び／又は論理を介して、受け取った電子患者フィードバック信号をメモリ装置（図示されていない）に記憶されている安全データ集合と比較する。
【００２９】
メモリ・ユニット（図示されていない）は、ＲＡＭ、ＲＯＭ、並びにキャッシュ・メモリ、及び電気的消去可能プログラム可能型読み出し専用メモリ（ＥＥＰＲＯＭ）のような半導体メモリ等のローカル・メモリのような１又は複数のメモリ形式を含む。さらに、メモリ・ユニット（図示されていない）は、多数の医療情報システム１０４、１０６及び１０８から取得ユニット２０２によって取得される患者データを記憶するように構成されている。
【００３０】
記憶されている安全データ集合は、安全な患者の生理学的状態及び望ましくない患者の生理学的状態を表わす少なくとも一組のデータ・パラメータを含む。実際の監視された患者の生理学的データの安全データ集合との比較に基づいて、処理ユニット２０４は、医薬品が患者に処方されるべきであることを決定する。
【００３１】
さらにもう一つの実施形態では、少なくとも一つの医療情報システム１０４が、患者に投与されるべき医薬品及び用量に関わる問い合わせを利用者から受け取ることが可能である。このようにして受け取った問い合わせは、中央サーバ・システム１０２へ送られ得る。続いて、中央サーバ・システム１０２は、問い合わせを中央サーバ・システム１０２へ転送した医療情報システム１０４を含めて１又は複数の医療情報システム１０４、１０６及び１０８から患者に対応する患者データを取得することができる。所要の情報の取り出しに続いて、中央サーバ・システム１０２は、患者の状態に基づいて患者データを処理して、患者に投与される必要のある医薬品の型及び用量を決定する。
【００３２】
このようにして決定された医薬品及び用量は、中央サーバ・システム１０２において表示されてもよいし、問い合わせを中央サーバ・システム１０２へ転送した医療情報システム１０４に送られてもよい。続いて、医療情報システム１０４は、当該医療情報システム１０４に結合されている表示装置に情報を表示する。これらの予測結果に基づいて、利用者は、患者に投与され得る医薬品の種類についての判定を下すことができる。
【００３３】
さらに、患者の現在の状態の解析を医薬品用量処方及び送達のための入力として用いることができる。この目的のために、図１に示すように、自動医薬品処方装置１００はさらに、中央サーバ・システム１０２に結合されている医薬品供給源ユニット１１０を含む。医薬品供給源ユニット１１０は、中央サーバ・システム１０２によって決定される医薬品及び用量の組を患者まで送達するように構成されている。
【００３４】
中央サーバ・システム１０２はさらに、医薬品供給源ユニット１１０に結合されている制御器２０８を含み得る（図２に示す）。制御器２０８は解釈ユニット２０６に結合され得る。さらに、制御器２０８は解釈ユニット２０６の外部に設けられていてもよいし、解釈ユニット２０６の内部に組み入れられていてもよい。医薬品供給源ユニットは当技術分野では周知であり、１又は複数のＩＶ管の容積制御を行なうことが可能であり、これにより１又は複数の医薬品の送達速度を制御する。従って、医薬品供給源ユニット１１０は制御器２０８から制御可能であり、すなわち医薬品送達の速度は制御器２０８によって制御される。一旦、解釈ユニット２０６が患者に投与されるべき医薬品及び用量を決定したら、情報を制御器２０８に伝える。制御器２０８は解釈ユニット２０６から受け取った情報を用いて、医薬品供給源ユニット１１０からの医薬品送達速度を調節する。但し、医薬品送達速度は、制御器２０８から受け取ったデータによって調節されてもよいし、又は利用者入力によって調節されてもよい。
【００３５】
実施形態の一例では、解釈ユニット２０６は、患者の血液標本に存在するブドウ糖の濃度に基づいてインシュリン治療液の送達を勧めることができる。解釈ユニット２０６はさらに、患者からの血液標本からの測定に基づいて、勧められる最適用量を算出することができる。この実施形態では、可能性としては糖尿病である患者が医薬品供給源ユニット１１０に接続される。インシュリン治療液の送達の用量は、患者の血液標本に存在するブドウ糖の測定濃度及び操作者によって入力される目標ブドウ糖レベルに基づく。医薬品供給源ユニット１１０は、目標ブドウ糖レベルを達成するために勧められる／算出される用量に基づいてインシュリン治療液を注入するように構成される。
【００３６】
さらに、本発明の一実施形態による方法が、図３の流れ図に概略図示されている。自動医薬品処方の方法３００は、ステップ３０２において、中央サーバ・システム１０２において患者に関する問い合わせを受け取るステップであって、問い合わせは患者に投与されるべき医薬品の型及び用量に関わる、受け取るステップと、ステップ３０４において中央サーバ・システム１０２に結合されている少なくとも一つの医療情報システム１０４、１０６及び１０８から患者データを得るステップと、ステップ３０６において患者に投与され得る医薬品及び用量の組を決定するように患者データを処理するステップとを含んでいる。
【００３７】
患者データを得るステップ３０４について図４と共にさらに説明する。ステップ３０４は、ステップ４０２において患者に関わる患者データについて少なくとも一つの医療情報システム１０４、１０６及び１０８に問い合わせるステップと、ステップ４０４において少なくとも一つの医療情報システム１０４、１０６及び１０８から患者データを受け取るステップとを含んでいる。
【００３８】
一実施形態では、図５に示すように、方法３００はさらに、ステップ５０２において、利用者によって少なくとも一つの医療情報システム１０４において、患者に投与されるべき医薬品の型及び用量に関する問い合わせを受け取るステップと、ステップ５０４において問い合わせを中央サーバ・システム１０２へ送るステップとを含んでいる。
【００３９】
本発明は、１又は複数の医薬品の患者への自動的な処方及び送達を患者データの自動式解析と電子的に統合する。従って、もう一つの実施形態では、図６に示すように、方法３００はさらに、ステップ６０２において、医薬品供給源ユニット１１０を中央サーバ・システム１０２に結合するステップと、ステップ６０４において、中央サーバ・システム１０２によって決定される医薬品及び用量の組を患者に送達するように医薬品供給源ユニット１１０を構成するステップとを含んでいる。
【００４０】
様々な実施形態として記載するように、処理ユニット２０４は、幾つかの医療情報システム１０４、１０６及び１０８から受け取った患者データを医薬品送達と統合して相関付ける従来の意思決定ソフトウェアによって中央サーバ・システム１０２の動作を電子的に管理する。従って、本発明はまた、上述の方法を実行するコンピュータ・プログラム・コードを含むコンピュータ・プログラム、及びコンピュータ実行可能な命令を記録したコンピュータ読み取り可能な媒体に関する。
【００４１】
コンピュータ実行可能な命令は、中央サーバ・システム１０２において患者に関する問い合わせを受け取るコードであって、問い合わせは患者に投与されるべき医薬品の型及び用量に関わる、受け取るコードと、中央サーバ・システム１０２に結合されている少なくとも一つの医療情報システム１０４、１０６及び１０８から患者データを得るコードと、患者に投与され得る医薬品及び用量の組を決定するように患者データを処理するコードとを含んでいる。
【００４２】
患者データを得るコードは、患者に関わる患者データについて少なくとも一つの医療情報システム１０４、１０６及び１０８に問い合わせるコードと、少なくとも一つの医療情報システム１０４、１０６及び１０８から患者データを受け取るコードとを含んでいる。
【００４３】
一実施形態では、コンピュータ読み取り可能な媒体はさらに、利用者によって少なくとも一つの医療情報システム１０４において、患者に投与されるべき医薬品の型及び用量に関する問い合わせを受け取るコードと、問い合わせを中央サーバ・システム１０２へ送るコードとを含んでいる。
【００４４】
これらの実行可能な命令の技術的効果は、自動的な意思決定を容易にし、これにより自動的な患者診断、医薬品処方及び医薬品送達について利用者を助け且つ／又は支援することである。
【００４５】
本書に記載される自動医薬品処方システム及び方法の様々な利点は当業者には理解される。一例としては、本発明の中央サーバ・システム１０２は自動的な患者診断、医薬品処方及び医薬品送達に用いられるべきパラメータとして患者データをさらに活用することが挙げられる。本発明は、患者データの解析を行なって、患者の状態のさらに明瞭な実態を提供し、後に行なわれる医薬品処方の推奨に用いる。
【００４６】
実施形態の一例では、本発明を腎機能障害を抱えた患者に医薬品を処方するときに用いることができる。
【００４７】
本発明の様々な実施形態として医療施設向けの自動処方装置について記載している。但し、これらの実施形態は限定されず、異なる応用と共に具現化されてもよい。本発明の応用は、他の領域、例えば自動意思決定モジュールに拡張され得る。この設計をさらに進めて、様々な形態及び仕様として具現化することができる。
【００４８】
この書面の記載は、最適な態様を含めて本書において主題を記載し、またあらゆる当業者が主題を製造して利用することを可能にするように実例を用いている。特許付与可能な主題の範囲は特許請求の範囲によって画定されており、当業者に想到される他の実例を含み得る。かかる他の実例は、特許請求の範囲の書字言語に相違しない構造要素を有する場合、又は特許請求の範囲の書字言語と非実質的な相違を有する等価な構造要素を含む場合には、特許請求の範囲内にあるものとする。
【符号の説明】
【００４９】
１００：自動医薬品処方装置
１０２：中央サーバ・システム
１０４、１０６、１０８：医療情報システム
１１０：医薬品供給源ユニット
２０２：取得ユニット
２０４：処理ユニット
２０６：解釈ユニット
２０８：制御器
２１０：ユーザ・インタフェイス
【図１】
2011238219.tif 000003
【図２】
2011238219.tif 000004
【図３】
2011238219.tif 000005
【図４】
2011238219.tif 000006
【図５】
2011238219.tif 000007
【図６】
2011238219.tif 000008
【外国語明細書】
2011238219000001.pdf